(57)【要約】【課題】移植機による植付作業において、ポット苗箱の四隅のポット状苗室が押出杵により破壊されないようにする。【解決手段】底面に亀裂部１５を設けたポット状苗室１１（１１Ａ、１１Ｂ）をＸ−Ｙ方向の碁盤目状に多数配置してなるポット苗箱１０であって、ポット苗箱１０の四隅に位置するポット状苗室１１Ａは、Ｘ−Ｙ方向に隣接する他のポット状苗室１１Ｂの外面との間に変形防止用のリブ１３を架け渡している。あるいは／および、Ｘ−Ｙ方向に対して斜め方向に隣接するポット状苗室の外面との間に変形防止用のリブ１４を架け渡している。【選択図】　図３
2004057079.tif 000002
【特許請求の範囲】
【請求項１】
底面に亀裂部を設けたポット状苗室をＸ−Ｙ方向の碁盤目状に多数配置してなるポット苗箱であって、
上記ポット苗箱の四隅に位置するポット状苗室は、Ｘ−Ｙ方向に対して斜め方向に隣接するポット状苗室の外面との間に変形防止用のリブを架け渡していることを特徴とするポット苗箱。
【請求項２】
底面に亀裂部を設けたポット状苗室をＸ−Ｙ方向の碁盤目状に多数配置してなるポット苗箱であって、
上記ポット苗箱の四隅に位置するポット状苗室は、Ｘ−Ｙ方向に隣接するポット状苗室の外面との間に変形防止用のリブを架け渡していることを特徴とするポット苗箱。
【請求項３】
底面に亀裂部を設けたポット状苗室をＸ−Ｙ方向の碁盤目状に多数配置してなるポット苗箱であって、
上記ポット苗箱の四隅に位置するポット状苗室は、上記亀裂部のスリットの１つを、Ｘ−Ｙ方向に対して斜め方向で、かつ、該ポット状苗室の底面の中心から外方に向く位置に設けていることを特徴とするポット苗箱。
【請求項４】
上記亀裂部は上記ポット状苗室の底面の中心からスリットを三方向に切り欠いた略Ｙ字形状とし、
上記スリットの１つはＸ−Ｙ方向に対して３０°〜６０°の斜め方向で外方に向く位置に設けている請求項３に記載のポット苗箱。
【発明の詳細な説明】
【０００１】
【発明の属する技術分野】
本発明は、ポット苗箱に関し、詳しくは、稲や野菜など苗をポット苗箱の各ポット状苗室で育苗し、該ポット苗箱ごと移植機に搭載して圃場に苗を植え付けるためのものである。
【０００２】
【従来の技術】
従来、移植機に搭載して使用するポット苗箱として、本出願人の意匠登録第５０７１３９号公報等に示すものが提供されている。
図９（Ａ）（Ｂ）に示すように、ポット苗箱１は樹脂で一体成形されており、移植機内を通過する際に湾曲可能なように可撓性を有していると共に、底面に亀裂部３を備えたポット状苗室２（２Ａ、２Ｂ）をＸ−Ｙ方向の碁盤目状に多数配置している。
【０００３】
【発明が解決しようとする課題】
しかしながら、上記ポット苗箱１は、樹脂成形品で撓み易いため、図９（Ａ）（Ｂ）に示すように、多数配列されたポット状苗室２のうち四隅に位置するポット状苗室２Ａは、重力や雰囲気温度などの影響によりＸ−Ｙ方向に対して約４５°斜め方向の内側に塑性変形してしまう場合がある。
【０００４】
また、ポット苗箱１を用いた育苗作業において、各ポット状苗室２に土入れ・播種・潅水等を行ったポット苗箱１を苗床（図示せず）上に並べ、ポット苗箱１の上面に重量のある合板（図示せず）で押し付けてポット苗箱１と苗床との密着を促進させる作業があるが、その際、該合板の押し付けにより、やはり、ポット苗箱１の四隅が上記同様に内側に塑性変形してしまう場合がある。
【０００５】
このように四隅が内側に塑性変形したままのポット苗箱１を、図１０および図１１に示すように、移植機の苗箱ガイド部４に通過させると、各ポット状苗室２の底面中心に対応するように設けられた押出杵５を底面の亀裂部３を通して貫入し、ポット苗Ｎを待ち受け状態の苗受６の溝へ押し出す際に、四隅のポット状苗室２Ａの亀裂部３と押出杵５との位置ズレにより、ポット状苗室２Ａを破壊してしまう問題がある。
【０００６】
本発明は、上記問題に鑑みてなされたもので、移植機による植付作業において、ポット苗箱の四隅のポット状苗室が押出杵により破壊されないようにすることを課題としている。
【０００７】
【課題を解決するための手段】
上記課題を解決するため、本発明は、第１に、底面に亀裂部を設けたポット状苗室をＸ−Ｙ方向の碁盤目状に多数配置してなるポット苗箱であって、
上記ポット苗箱の四隅に位置するポット状苗室は、Ｘ−Ｙ方向に対して斜め方向に隣接するポット状苗室の外面との間に変形防止用のリブを架け渡していることを特徴とするポット苗箱を提供している。
【０００８】
上記構成とすると、上記ポット苗箱の四隅に位置するポット状苗室が、Ｘ−Ｙ方向に対して約４５°斜め方向の内側に塑性変形しようとしても、上記斜め方向に隣接したポット状苗室との外面間に架け渡したリブが強度保持の役目を果たし、上記四隅に位置するポット状苗室の変形を防止することができる。したがって、ポット苗箱の四隅に位置するポット状苗室の亀裂部に移植機の押出杵が合致せずに破壊されるのを防止することができる。
【０００９】
また、本発明は第２に、底面に亀裂部を設けたポット状苗室をＸ−Ｙ方向の碁盤目状に多数配置してなるポット苗箱であって、
上記ポット苗箱の四隅に位置するポット状苗室は、Ｘ−Ｙ方向に隣接するポット状苗室の外面との間に変形防止用のリブを架け渡していることを特徴とするポット苗箱を提供している。
【００１０】
上記構成とすると、上記ポット苗箱の四隅に位置するポット状苗室が、Ｘ−Ｙ方向に対して約４５°斜め方向の内側に塑性変形しようとしても、上記ポット状苗室の外面間に架け渡したＸ方向のリブとＹ方向のリブとの強度保持力が合成されて斜め方向へお強度保持の役目を果たし、上記四隅に位置するポット状苗室の変形を防止することができる。したがって、ポット苗箱の四隅に位置するポット状苗室の亀裂部に移植機の押出杵が合致せずに破壊されるのを防止することができる。
【００１１】
上記四隅に位置するポット状苗室に、Ｘ−Ｙ方向に隣接するポット状苗室の外面と、Ｘ−Ｙ方向に対して斜め方向に隣接するポット状苗室の外面との両方ともに変形防止用のリブを設けると強度保持力がさらに向上し好適である。
なお、その場合には、上記Ｘ−Ｙ方向のリブを低背とし、上記斜め方向のリブを高背とすると好ましい。
【００１２】
さらに、本発明は第３に、底面に亀裂部を設けたポット状苗室をＸ−Ｙ方向の碁盤目状に多数配置してなるポット苗箱であって、
上記ポット苗箱の四隅に位置するポット状苗室は、上記亀裂部のスリットの１つを、Ｘ−Ｙ方向に対して斜め方向で、かつ、該ポット状苗室の底面の中心から外方に向く位置に設けていることを特徴とするポット苗箱を提供している。
【００１３】
上記構成とすると、上記ポット苗箱の四隅に位置するポット状苗室が、Ｘ−Ｙ方向に対して約４５°斜め方向の内側に塑性変形してしまい、ポット状苗室の苗を上記亀裂部を通して押し出す押出杵がポット状苗室の中心から約４５°斜め方向の外側に位置ズレした場合でも、該押出杵が上記亀裂部のスリット部分に位置することとなる。したがって、上記押出杵は上記スリットを貫通することができ、ポット苗箱の四隅に位置するポット状苗室の破壊を防止することができる。
【００１４】
具体的には、上記亀裂部は上記ポット状苗室の底面の中心からスリットを三方向に切り欠いた略Ｙ字形状とし、
上記スリットの１つはＸ−Ｙ方向に対して３０°〜６０°の斜め方向で外方に向く位置に設けていると好適である。
なお、上記亀裂部のスリット形状は、略Ｙ字形状の他にも、略十字形状などスリットを有するあらゆる形状が考えられる。
【００１５】
【発明の実施の形態】
本発明の実施形態を図面を参照して説明する。
図１乃至図４は第１実施形態を示す。
第１実施形態のポット苗箱１０は、Ｘ−Ｙ方向の碁盤目状に多数のポット状苗室１１を設けており、両端縁に複数の送り穴１２を穿設していると共に、中央にポット状苗室１１の間隔を広くあけた中央支持部１６を設けている。
【００１６】
図３（Ａ）に示すように、ポット状苗室１１の底面には、その中心から３本のスリット１５ａ、１５ｂ、１５ｃを等角三方向に切り欠いたＹ字亀裂部１５を設けている。
ポット苗箱１０の四隅に位置する各ポット状苗室１１Ａは、図３（Ａ）（Ｂ）に示すように、Ｘ方向とＹ方向に隣接する各ポット状苗室１１Ｂの外面との間に変形防止用のリブ１３を架け渡していると共に、図３（Ａ）（Ｃ）に示すように、Ｘ−Ｙ方向に対して斜め方向に隣接するポット状苗室１１Ｃの外面との間にも変形防止用のリブ１４を架け渡している。
【００１７】
リブ１３、１４は、その高さＨ２をポット状苗室１１の高さＨ１の３０〜８０％の高さとすることが好ましく、本実施形態では５０％の高さとしている。
リブ１３、１４の高さＨ２をポット状苗室１１の３０％未満にすると、ポット状苗室１１Ａの変形防止効果が十分でなくなる一方、８０％を超えるとリブ１３、１４の間の空間に土が溜まり易くなると共にポット状苗室１１（１１Ａ、１１Ｂ、１１Ｃ）の可撓性が損なわれるからである。
なお、上記斜め方向のリブ１４は、Ｘ−Ｙ方向のリブ１３よりも高背としても好適である。
【００１８】
上記構成のポット苗箱１０によると、四隅のポット状苗室１１Ａとそれに隣接するポット状苗室１１Ｂ、１１Ｃとの間にリブ１３、１４を設けているので、重力や雰囲気温度などの影響や、育苗作業時の合板の押し付け等により、ポット苗箱１０の四隅のポット状苗室１１ＡがＸ−Ｙ方向に対して約４５°斜め方向の内側に変形してしまうのを防止することができる。
【００１９】
よって、図４に示すように、ポット苗箱１０を移植機の苗箱ガイド部４に通過させて、各ポット状苗室１１（１１Ａ、１１Ｂ、１１Ｃ）の底面中心に対応するように設けられた押出杵５を各Ｙ字亀裂部１５に貫入してポット苗Ｎを苗受６の溝へ押し出す際に、押出杵５が四隅のポット状苗室１１ＡのＹ字亀裂部１５の中心に正しく合致し、ポット状苗室１１Ａの破壊を防止することができる。
【００２０】
図５（Ａ）は第１実施形態の第１変形例を示す。
本変形例は、ポット苗箱の四隅に位置するポット状苗室１１Ａの外面と、Ｘ−Ｙ方向に対して斜め方向に隣接するポット状苗室１１Ｃの外面との間に変形防止用のリブ１４を架け渡している一方、Ｘ−Ｙ方向に隣接するポット状苗室１１Ｂの外面との間にはリブを設けていない。
【００２１】
図５（Ｂ）は第１実施形態の第２変形例を示す。
本変形例は、ポット苗箱の四隅に位置するポット状苗室１１Ａは、Ｘ−Ｙ方向に隣接する両ポット状苗室１１Ｂの外面との間に変形防止用のリブ１３を架け渡している一方、Ｘ−Ｙ方向に対して斜め方向に隣接するポット状苗室１１Ｃの外面との間にはリブを設けていない。
つまり、Ｘ方向のリブ１３とＹ方向のリブ１３との変形に対する抗力の合成により、４５°斜め方向への変形が防止できる。
【００２２】
図６（Ａ）（Ｂ）は第２実施形態を示す。
本実施形態のポット苗箱の四隅に位置するポット状苗室１１Ａ’のＹ字亀裂部１５’は、他のポット状苗室１１ＢのＹ字亀裂部１５に対して角度θ向きを変えている。
【００２３】
つまり、四隅のポット状苗室１１Ａの底面のＹ字亀裂部１５’は、中心から等角三方向に切り欠いた３本のスリット１５ａ’、１５ｂ’、１５ｃ’のうち一つ１５ａ’をＸ−Ｙ方向に対して角度θ傾斜した外方へ向くように設定している。
ここで、角度θの許容範囲は３０°≦θ≦６０°とすると好ましく、本実施形態ではθ＝４５°としている。
【００２４】
上記構成とすると、ポット苗箱の四隅に位置するポット状苗室１１Ａ’が塑性変形しなかった場合には、図６（Ｂ）中の中心位置であるａ位置に移植機の押出杵５が合致する。一方、ポット状苗室１１Ａ’がＸ−Ｙ方向に対して約４５°斜め方向の内側に塑性変形してしまった場合でも、押出杵５がスリット１５ａ’上のｂ位置に合致する。したがって、押出杵５はスリット１５ａ’を貫通することができ、ポット状苗室１１Ａ’の破壊が防止される。
【００２５】
図７は第３実施形態を示す。
本実施形態のポット状苗箱は、第２実施形態のポット苗箱に第１実施形態のリブ１３、１４も設けている。
こうすることで、リブ１３、１４により、ポット状苗箱の四隅に位置するポット状苗室１１Ａ’の塑性変形が防止されると共に、万が一、ポット状苗室１１Ａ’がＸ−Ｙ方向に対して約４５°斜め方向の内側に塑性変形してしまった場合でも、押出杵５がスリット１５ａ’を貫通することができ、ポット状苗室１１Ａ’の破壊が防止できる。
【００２６】
図８は第４実施形態を示す。
本実施形態のポット苗箱は、各ポット状苗室１１の配列間隔を、原則としてＸ方向は距離Ｌ１の間隔とし、Ｙ方向は距離Ｌ２としていると共に、四隅に位置するポット状苗室１１Ａ”のみαだけ余分に間隔をあけて、即ち、Ｘ方向は距離Ｌ１＋αの間隔をあけ、Ｙ方向は距離Ｌ２＋αの間隔をあけている。
【００２７】
Ｘ−Ｙ方向のポット間距離がＬ１＝Ｌ２＝１９ｍｍのポット苗箱において、ポット状苗室１１Ａ”の位置ズレ量であるαの範囲は０．３ｍｍ≦α≦１．０ｍｍとしており、本実施形態ではα＝０．５ｍｍとしている。
【００２８】
上記構成とすると、たとえ四隅に位置するポット状苗室１１Ａ”がＸ−Ｙ方向に対して約４５°斜め方向の内側に塑性変形してしまった場合でも、予めポット状苗室１１Ａ”をＸ−Ｙ方向に対して約４５°斜め方向の外側にずらしているので、上記変形による内側への位置ズレと予め設定した外側への位置ズレとが相殺される。
したがって、押出杵５はポット状苗室１１Ａ”のＹ字亀裂部１５に合致させることができ、ポット状苗室１１Ａ”の破壊が防止できる。
【００２９】
【発明の効果】
以上の説明より明らかなように、第１の発明によれば、上記ポット苗箱の四隅に位置するポット状苗室が、Ｘ−Ｙ方向に対して約４５°斜め方向の内側に塑性変形しようとしても、上記斜め方向に隣接したポット状苗室との外面間に架け渡したリブが強度保持の役目を果たし、上記四隅に位置するポット状苗室の変形を防止することができる。
また、第２の発明も同様に、上記Ｘ方向のリブとＹ方向のリブとの強度保持力が合成されて斜め方向へ強度保持の役目を果たし、上記四隅に位置するポット状苗室の変形を防止することができる。
したがって、ポット苗箱の四隅に位置するポット状苗室の亀裂部に移植機の押出杵が合致せずに破壊されるのを防止できる。
【００３０】
さらに、第３の発明によれば、上記ポット苗箱の四隅に位置するポット状苗室が、Ｘ−Ｙ方向に対して約４５°斜め方向の内側に塑性変形してしまい、上記移植機の押出杵がポット状苗室の中心から約４５°方向の外方に位置ズレした場合でも、該押出杵が亀裂部のスリット部分に位置する。したがって、該押出杵は亀裂部のスリット部を貫通でき、ポット状苗室の破壊を防止できる。
【図面の簡単な説明】
【図１】本発明の第１実施形態のポット苗箱の上面図である。
【図２】図１のＩ−Ｉ線断面図である。
【図３】（Ａ）は要部上面図、（Ｂ）はＩＩ−ＩＩ線断面図、（Ｃ）はＩＩＩ−ＩＩＩ線断面図である。
【図４】ポット状苗室のポット苗を押出杵で押し出す状態を示す図面である。
【図５】（Ａ）は第１変形例の要部上面図、（Ｂ）は第２変形例の要部上面図である。
【図６】（Ａ）は第２実施形態のポット苗箱の要部上面図、（Ｂ）は拡大図である。
【図７】第３実施形態のポット苗箱の要部上面図である。
【図８】第４実施形態のポット苗箱の要部上面図である。
【図９】（Ａ）は従来のポット苗箱の斜視図、（Ｂ）はＩＶ−ＩＶ線断面図である。
【図１０】移植機の要部断面図である。
【図１１】図１０のＶ−Ｖ線断面図である。
【符号の説明】
４　　　　　苗箱ガイド部
５　　　　　押出杵
６　　　　　苗受
１０　　　　ポット苗箱
１１（１１Ａ、１１Ｂ、１１Ｃ）　ポット状苗室
１２　　　　送り穴
１３、１４　リブ
１５　　　　Ｙ字亀裂部
１６　　　　中央支持部
Ｎ　　　　　ポット苗
【図１】
2004057079.tif 000003
【図２】
2004057079.tif 000004
【図３】
2004057079.tif 000005
【図４】
2004057079.tif 000006
【図５】
2004057079.tif 000007
【図６】
2004057079.tif 000008
【図７】
2004057079.tif 000009
【図８】
2004057079.tif 000010
【図９】
2004057079.tif 000011
【図１０】
2004057079.tif 000012
【図１１】
2004057079.tif 000013